(57)【要約】【課題】  回転扉の人身事故が多発しているので早急な安全装置の考案が必要であり、センサーによる手段のみでなく老人、子供、身体障害者等にも対応可能な機械的構造による安全対策が求められる。【解決手段】  回転扉の安全をセンサーのみに依存する事なく、構造的に改善してセンサーに支障が発生した場合にも対応が可能である様にする必要がある。  人間が回転扉の内に入り遅れて挟まれた場合には老人、子供の背の低い人々にも安全が確保出来る様に回転扉自体が機械的に対応して自動的に電源を切断し回転扉を停止して自由回転とする機能を備えた構造にする。【選択図】  図１
2005307716.tif 000002
【特許請求の範囲】
【請求項１】
回転する扉の横中間部の位置に縦方向の回転軸（１５、１６、１７、１８）を設けて、それより先の扉部分は安全回転扉（１１、１２、１３、１４）となり、回転方向の手前方向に９０度回転する様にする事により人間が挟まれても障害を受ける事は無く、扉の先端部分が人間（１）を挟んでも安全回転扉が回転すれば電源が切れて回転扉は停止して自由回転となる、そして外部の風圧には回転軸（６）の中にあるカム（５０）と制御棒（５１、５２、５３、５４）の作動により安全回転扉が一部の部分のみ回転を停止して風圧の影響を防止する事を特徴とする回転扉。
【請求項２】
回転扉を横中間部までの固定扉（２７、２８、２９、３０）と、その先の部分を伸縮扉（２３、２４、２５、２６）として固定扉の内部に収納される様にする事により、人間が挟まれても障害を受ける事はなく、そして伸縮扉に人間（１）が挟まれて先端部が中心部に押された場合は電源が切れて回転扉は停止して自由回転となる事を特徴とする回転扉。
【請求項３】
回転扉の両側に固定側壁（３１、３４）と可動側壁（３２、３３）を設けて、回転扉の外周が接近して来て、人間が挟まれた場合には固定側壁（３１、３４）と可動側壁（３２、３３）との間には回転軸（４６、４７）があり可動側壁（３５、３６）が回転軸（４６、４７）によって外側に最大９０度まで開く様にする事により、人間が挟まれ転倒した場合にも障害を受ける事はなく、可動側壁（３２、３３）が外側に回転すれば電源が切れて回転扉は停止して自由回転となる事を特徴とする回転扉。
【請求項４】
回転扉の扉先端部上下に沿って身長程度に長く平型、角型、コの字型などの縦押板（４０、５５、５６）を設置して人間が接触した場合は電気回路が作動して回転装置の電源を遮断して回転扉の回転を停止し自由回転とする事を特徴とする回転扉。
【請求項５】
回転扉の扉下部に沿って横に長く平滑な横押板（４８）を設置して子供、老人、車椅子等の身体障害者で背が低く転倒して接触した場合には電気回路が作動して回転扉装置の電源を遮断して回転扉の回転を停止して自由回転とする事を特徴とする回転扉。
【請求項６】
「請求項１」、「請求項２」、「請求項３」の回転扉の人間と接触する先端部に「請求項４」の装置を設置する事を特徴とする回転扉。
【請求項７】
「請求項１」、「請求項２」、「請求項３」、「請求項４」の回転扉下部に「請求項５」の装置を設置する事を特徴とする回転扉。
【発明の詳細な説明】
【技術分野】
【０００１】回転扉の事故対策に関する安全装置。
【背景技術】
【０００２】回転扉の安全に対する完全な装置を取り付ける必要があった。【特許文献１】特許公開平６−１０８７３５
【特許文献２】特許公開平６−２８８１５７
【特許文献３】特許公開２００２−３０８６６
【特許文献４】特許公開２００３−１８４４１２
【発明の開示】
【発明が解決しようとする課題】
【０００３】  回転扉の人身事故が多発しているので早急な安全装置の考案が必要であり、センサーによる手段のみでなく機械的構造による安全対策が求められる。
【課題を解決するための手段】
【０００４】  回転扉の安全をセンサーのみに依存する事なく、構造的に改善して万一電気系統に支障が発生した場合にも対応が可能である様にする必要がある。  人間が回転扉の内に入り遅れて挟まれた場合には扉自体が対応して回転扉を停止する。【０００５】  回転扉の横中間部に縦方向に回転軸から先端部分を扉の回転方向の手前に９０度回転する様にする事により人間が挟まれても障害を受ける事は無い、そして扉の先端部分が人間を挟んで回転すれば電源が切れて回転扉は停止して自由回転となるので安全である。【０００６】  扉の横中間部から先端部分が中心方向の内部に収納される様にする事により人間が挟まれても障害を受ける事はなく、そして扉の先端部分が中心部に押された場合は電源が切れて回転扉は停止して自由回転となるので安全である。【０００７】  回転扉の両側面に固定側壁と可動側壁を設置して、回転扉の外周が接近して人間が挟まれれば可動側壁が外側に９０度位まで開く様にするので、人間が挟まれて転倒しても障害を受ける事はなく、そして可動側壁部分が外側に回転すれば電源が切れて回転扉は停止して自由回転となるので安全である。【０００８】  回転扉の扉先端部上下に長い縦押板（４０、５５、５６）を設置して人間が接触した場合は電気回路が作動して電源スイッチを遮断して回転扉の回転を停止して自由回転となるので安全である。【０００９】  回転扉の下部に横押板（４８、４９）を設置してあるので、子供、老人、身体障害者等が転倒などした時にも直ちに回転扉の電源を遮断して自由回転とする事が出来るので安全である。【００１０】  上記手段を種々組み合わせる事により、一層の安全対策を構築する事が可能となる。
【発明の効果】
【００１１】
【００１２】  回転扉が安全な機構であれば省エネ効果が充分発揮されて有用な扉となり得る。
【発明を実施するための最良の形態】
【００１３】  建物の構造と用途により安全な回転扉の各特長を選択して採用すれば省エネ効果に充分な効果が得られる様になる。
【実施例１】
【００１４】  回転扉の横中間部分に縦方向に回転軸を設けて、それから先端部分を安全回転扉として回転扉の回転方向の手前に９０度回転する様にする事により、人間が挟まれても障害を受ける事は無い、風圧に対しては回転軸の中にカムを設置して制御棒によって安全回転扉の回転を制御して風圧の影響を防止する、そして安全回転扉の先端部分が人間を挟んで回転すれば電源が切れて回転扉は停止して自由回転となるので安全である。
【実施例２】
【００１５】  回転扉を固定扉と横中間部から先を伸縮扉として、伸縮扉が中心方向に固定扉の内部に収納される様にする事により人間が挟まれても障害を受ける事はなく、そして人間が挟まれて扉の先端部分が中心部に押された場合は電源が切れて回転扉は停止して自由回転となるので安全である。
【実施例３】
【００１６】  回転扉の両側面に固定側壁と回転側壁を設置して回転扉の外周が接近して来て人間が挟まれた場合は回転側壁が外側に９０度くらい開く様にするので、人間が挟まれて転倒した場合でも傷害を受ける事はなく、そして可動側壁が外側に回転すれば自動的に電源が切れて回転扉は停止して自由回転となるので安全である。
【実施例４】
【００１７】  回転扉の先端部上下に沿って身長程度の長く平型、角型、コの字型などの縦押板（４０、５５、５６）を設置して人間が接触した場合は電気回路が作動して回転装置の電源を遮断して回転扉の回転を停止して自由回転とするので安全である。
【実施例５】
【００１８】  回転扉の扉下端部の横方向に沿って平滑な横押板（４８）を設置して子供、老人、身体障害者、背の低い人などが転倒して低い位置の場合にも接触する事によって電気回路が作動して回転装置の電源スイッチを遮断して回転扉の回転を停止し自由回転とするので安全である。
【実施例６】
【００１９】  「実施例１、２、３」の各装置に「実施例４」の装置を追加した装置であり一層の安全を確保する事が可能となる。
【実施例７】
【００２０】  「実施例１、２、３、４」の各装置に「実施例５」の装置を追加した装置であり子供、老人、身体障害者には、尚一層の安全を確保する事が可能となる。
【産業上の利用可能性】
【００２１】  建物の構造と用途により省エネ効果の高い安全な回転扉を構造上の特長を選択して採用すれば出入り口扉として経済的な効果が得られる。
【図面の簡単な説明】
【００２２】
【図１】回転扉の断面図
【図２】カム装置の断面図
【図３】回転扉の断面図
【図４】回転扉の断面図
【図５】回転扉の斜視図
【図６】回転扉の先端部の断面図
【図７】回転扉の先端部の断面図
【図８】回転扉の先端部の断面図
【符号の説明】
【００２３】１  人間２  入り口３  出口４、５、３１、３４、４１、４２  固定側壁６  回転扉回転軸７、８、９、１０  固定扉１１、１２、１３、１４  安全回転扉１５、１６、１７、１８  扉回転軸１９、２０、２１、２２  回転扉２３、２４、２５、２６  伸縮扉２７、２８、２９、３０  収納扉３２、３３、３５、３６  可動側壁３７、３８  内外隔壁３９  回転扉の先端４０  平型縦押板４３、４４、４５  回転扉の床４６、４７  可動側壁の回転軸４８、４９  横押板５０  カム５１、５２、５３、５４  制御棒５５  角型縦押板５６  コの字型縦押板
【図１】
2005307716.tif 000003
【図２】
2005307716.tif 000004
【図３】
2005307716.tif 000005
【図４】
2005307716.tif 000006
【図５】
2005307716.tif 000007
【図６】
2005307716.tif 000008
【図７】
2005307716.tif 000009
【図８】
2005307716.tif 000010